(57)【要約】      （修正有）【課題】椅子台の幅を調整して限定することで、良好な支持力を提供し、使用者が長時間座っても疲れにくくする幅調整可能な椅子構造を提供する。【解決手段】幅調整可能な椅子構造は、椅子支持桿１０、第一椅子台２０及び第二椅子台３０を含み、椅子支持桿は固定台１１及び固定台に連接する台座支持台１２を含む。第一椅子台は台座支持台の一側辺に結合し、第二椅子台は台座支持台の別の一側辺に結合し、第一椅子台と相互に排列し、且つ第二椅子台は第一椅子台との相対距離を平行移動して調整する。  【選択図】図１
0003173088.tif 000002
【実用新案登録請求の範囲】
【請求項１】
幅調節可能な椅子構造において、
固定台及び該固定台に連接する台座支持台を含む椅子支持桿と、
該台座支持台の一側辺に結合する第一椅子台と、
該台座支持台の別の一側辺に結合して該第一椅子台と相互に並列し、該第一椅子台との相対距離を平行移動して調整する第二椅子台を含むことを特徴とする幅調整可能な椅子構造。
【請求項２】
前記第一椅子台は、第一台座及び該第一台座外側から垂直に伸びた第一肘掛けを含むことを特徴とする請求項１記載の幅調整可能な椅子構造。
【請求項３】
前記第一椅子台は、更に第一支持柱を備え、該第一支持柱は該第一台座の底部に固定し、且つ該台座支持台は第一滑動槽に対応して設置し、該第一支持柱は該第一滑動槽内に挿着することを特徴とする請求項２記載の幅調整可能な椅子構造。
【請求項４】
前記第一支持柱は、更に第一レバーを枢設し、該第一滑動槽には複数の間隔排列の第一ギア孔を対応して成形し、該第一レバーは任意の一第一ギア孔内に挿着することを特徴とする請求項３記載の幅調整可能な椅子構造。
【請求項５】
前記第一椅子台は、更に第一調整桿を含み、且つ該第一支持柱は第一貫通孔を穿設し、該第一調整桿は該第一貫通孔に挿着し、該固定台内に固定することを特徴とする請求項３記載の幅調整可能な椅子構造。
【請求項６】
前記第一調整桿の一端は、梅花形回転ノブを備えることを特徴とする請求項５記載の幅調整可能な椅子構造。
【請求項７】
前記第二椅子台は第二台座及び該第二台座外側に垂直に伸びる第二肘掛けを含むことを特徴とする請求項１記載の幅調整可能な椅子構造。
【請求項８】
前記第二椅子台は、更に第二支持柱を備え、該第二支持柱は該第二台座の底部に固定し、且つ該台座支持台は第二滑動槽に対応設置し，該第二支持柱は該第二滑動槽内に挿着することを特徴とする請求項７記載の幅調整可能な椅子構造。
【請求項９】
前記第二支持柱は、更に第二レバーを枢設し、該第二滑動槽には複数の間隔排列した第二ギア孔を対応成形し、該第二レバーは任意の一第二ギア孔内に挿着することを特徴とする請求項８記載の幅調整可能な椅子構造。
【請求項１０】
前記第二椅子台は、更に第二調整桿を含み、且つ該第二支持柱は第二貫通孔を穿設し、該第二調整桿は該第二貫通孔に挿着し、該固定台内に固定することを特徴とする請求項８記載の幅調整可能な椅子構造。
【請求項１１】
前記第二調整桿の一端は、梅花形回転ノブを備えることを特徴とする請求項１０記載の幅調整可能な椅子構造。
【請求項１２】
前記幅調整可能な椅子構造は、更に中間椅子台を含み、該中間椅子台は該固定台上に結合し、夾設在該第一椅子台及び該第二椅子台の間に挟持して設置することを特徴とする請求項１記載の幅調整可能な椅子構造。
【請求項１３】
幅調整可能な椅子構造において、
固定台及び該固定台に連接する台座支持台を含む椅子支持桿と、
該固定台上に結合する中間椅子台と、
第一椅子台，結合在該中間椅子台に結合し、該台座支持台の一側辺に定位する第一椅子台と、
該第一椅子台に対応して設置し、該台座支持台の別の一側辺に定位し、且つ該第一椅子台との相対距離を平行移動して調整する第二椅子台を含むことを特徴とする幅調整可能な椅子構造。
【請求項１４】
前記第一椅子台は該中間椅子台底部から伸びて固定することを特徴とする請求項１３記載の幅調整可能な椅子構造。
【請求項１５】
前記第一椅子台は、更に第一支持柱及び第一調整桿を備え、該第一調整桿は該第一支持柱に挿着し、該固定台内に固定することを特徴とする請求項１４記載の幅調整可能な椅子構造。
【請求項１６】
前記第一支持柱は、該第一椅子台の底部に固定し、且つ該台座支持台は第一滑動槽に対応して設置し、該第一支持柱は該第一滑動槽内に挿着することを特徴とする請求項１５記載の幅調整可能な椅子構造。
【請求項１７】
前記第二椅子台は、該中間椅子台底部から伸びて固定することを特徴とする請求項１３記載の幅調整可能な椅子構造。
【請求項１８】
前記第二椅子台は、更に第二支持柱及び一第二調整桿を備え、該第二調整桿は該第二支持柱に挿着し、該固定台内に固定することを特徴とする請求項１７記載の幅調整可能な椅子構造。
【請求項１９】
前記第二支持柱は、該第二椅子台の底部に固定し、且つ該台座支持台は第二滑動槽に対応設置し、該第二支持柱は該第二滑動槽内に挿着することを特徴とする請求項１８記載の幅調整可能な椅子構造。
【考案の詳細な説明】
【技術分野】
【０００１】
本考案は、椅子の構造に関するもので、特に幅を調節できる椅子構造に係わる。
【背景技術】
【０００２】
椅子は、日常生活の内で不可欠の家具であり、特に長時間座る人にとって、椅子の全体的設計が人体工学及び快適性に符合したものでなければならないため、構造設計は非常に重視されている。
【０００３】
現在、市場では調整機能を備えた椅子を多種類見ることができる。但し、大部分は椅子の肘掛け、肘掛けもしくは脚フレームに対する構造デザインで、使用者が調整することで要求に応えるもので、椅子の椅子台幅の設計に係わる製品を見ることは非常に少ない。
【先行技術文献】
【特許文献】
【０００４】
【特許文献１】特開平８−３９３号
【考案の概要】
【考案が解決しようとする課題】
【０００５】
解決しようとする問題点は、座幅を調整できる椅子は見ることがない点である。しかしながら、一部使用者、例として美容、ヘアーサロン業者、もしくは医療等の特殊状況に拠っては、使用者が椅子台上に座った後、椅子台の幅を限定して調整することで、使用者が誤って移動するのを防止する必要がある。更に椅子台がしっかりと使用者の臀部に沿うようにすることで、該椅子台は良好な支持力を提供し、長時間座っていても疲れにくくする必要がある。
【０００６】
本考案では上述の目的を達成するため、考案者は研究を重ね学理の運用を合わせて椅子台幅を調整する椅子構造を提供することにした。
【課題を解決するための手段】
【０００７】
本考案は、椅子支持桿、第一椅子台及び第二椅子台を含み、椅子支持桿は固定台及び固定台に連接する台座支持台を含む。第一椅子台は台座支持台の一側辺に結合し、第二椅子台は台座支持台の別の一側辺に結合し、第一椅子台と相互に排列し、且つ第二椅子台は第一椅子台との相対距離を平行移動して調整することを最も主要な特徴とする。
【考案の効果】
【０００８】
本考案の幅調整可能な椅子構造は、椅子台の幅を調整して限定することで、良好な支持力を提供し、使用者が長時間座っても疲れにくくするという利点がある。
【図面の簡単な説明】
【０００９】
【図１】本考案の幅調整可能な椅子構造の実施例の立体外観指示図である。
【図２】本考案の幅調整可能な椅子構造の立体分解指示図である。
【図３】本考案の幅調整可能な椅子構造の平面組立指示図である。
【図４】本考案の幅調整可能な椅子構造の動作指示図である。
【図５】本考案の幅調整可能な椅子構造の第二実施例である。
【図６】本考案の第二実施例の動作指示図である。
【図７】本考案の幅調整可能な椅子構造の第三実施例である。
【図８】本考案の幅調整可能な椅子構造の第四実施例である。
【考案を実施するための形態】
【００１０】
椅子台の幅を調整して限定し、それによって良好な支持力を形成し、並に使用者が長時間座っても疲れない幅調整可能な椅子構造を提供することを本考案の目的とする。
【００１１】
上述の問題を達成するため、本考案の幅調整可能な椅子構造は、椅子支持桿、第一椅子台及び第二椅椅子台を含み、椅子支持桿は固定台及び固定台に連接する台座支持台を含む。第一椅子台は台座支持台の一側辺に固定し、第二椅子台は台座支持台の別の一側辺に結合して第一椅子台と相互に排列し、且つ第二椅子台は第一椅子台との相対距離を平行移動して調整する。
【００１２】
公知技術と比較すると、本考案の幅調整可能な椅子構造は、椅子支持桿に固定台及び台座支持台を設置し、他に第一椅子台及び第一椅子台を台座支持台に結合し、且つ第一椅子台及び第二椅子台は台座支持台の滑動槽内の位置に各自で調整する。使用者が座った後、使用の必要に応じて第一椅子台及び第二椅子台の間の距離（椅子台幅）を調整して限定し、第一椅子台及び第二椅子台を使用者の臀部にしっかりと止めて良好な支持力を形成することで、使用者が長時間座っても疲れにくいため、便利で実用性を備える。
【実施例１】
【００１３】
本考案の詳細説明及び技術的内容に関し、図面と共に以下に説明する。しかし、図面は説明のための参考であり、本考案を制限するものではない。
【００１４】
図１から図３は、本考案の幅調整可能な椅子構造の立体外観指示図、立体分解指示図及び平面組立指示図である。本考案の椅子１は椅子支持桿１０、第一椅子台２０及び第二椅子台３０を含む。
【００１５】
図に示すように、該椅子支持桿１０は、固定台１１及び該固定台１１に連接する台座支持台１２を含み、本実施例では該固定台１１は納置孔１１０を備えた方型柱体とする。
【００１６】
該第一椅子台２０は、該台座支持台１２の一側辺に結合し、該第一椅子台２０は第一台座２１及び該第一台座２１外側に対して垂直に伸びた第一肘掛け２２を含む。その他、該第一椅子台２０は更に第一支持柱２４及び第一調整桿２５を含み、該第一支持柱２４は該第一台座２１の底部に固定する。且つ該台座支持台１２は第一滑動槽１２１を成形し、該第一支持柱２４は該第一滑動槽１２１内に挿入し、該第一滑動槽内１２１で左右に滑動し、更に該第一支持柱２４には第一貫通孔２４０を穿設する。
【００１７】
該第二椅子台３０は、該台座支持台１２の別の一側辺に結合し、該第一椅子台２０と相互に並列させ、該第二椅子台３０は該第一椅子台２０との相対距離を平行移動して調整する。該第二椅子台３０は、第二台座３１及び該第二台座３１外側に垂直に伸びる第二肘掛け３２を含む。その他、該第二椅子台３０は更に第二支持柱３４及び第二調整桿３５を含み、該第二支持柱３４は該第二台座３１の底部に固定し、且つ該台座支持台１２は第二滑動槽１２２を成形し、該第二支持柱３４は該第二滑動槽１２２内に挿入し、該第二滑動槽内１２２で左右に活動し、且つ該第二支持柱３４は第二貫通孔３４０を穿設する。
【００１８】
本実施例に於いて、該第一調整桿２５、第二調整桿３５はネジ桿とする。更に該第一調整桿２５、該第二調整桿３５の一端はそれぞれ梅花形の回転ノブ２５１、３５１を備え、使用者が握って回転するのに用いる。その他、該固定台１１の納置孔１１０には第一固定部品２６及び第二固定部品３６を結合する。これらによって、該第一調整桿２５を該第一貫通孔２４０に挿入して該固定台１１内の該第一固定部品２６上に固定し、同じく該第二調整桿３５は該第二貫通孔３４０に挿入して該固定台１１の該第二固定部品３６上に固定する。
【００１９】
図４は、本考案の幅調整可能な椅子構造の動作指示図である。該第一椅子台２０及び該第二椅子台３０を該椅子支持桿１０に組み立てると、使用者は該第一台座２１及び第二台座３１の間に座ることができる。更に使用者の臀部の大小によって該第一椅子台２０及び該第二椅子台３０の隙間を調整し、該第一肘掛け２２及び第二肘掛け３２で使用者の臀部横にしっかりと添わせる。
【００２０】
隙間を調整する時、先ず該梅花形回転ノブ２５１、３５１を回転し、該第一調整桿２５及び第二調整桿３５を該第一固定部品２６及び第二固定部品３６の固定定位から外した後、該第一支持柱２４及び第二支持柱３４を該第一滑動槽内１２１及び第二滑動槽内１２２でそれぞれ左右移動し、同時に該第一台座２１及び第二台座３１を動かしてその位置を変更し、調整完了後、再度該第一調整桿２５及び第二調整桿３５を該固定台１１内に挿入して，該第一椅子台２０及び該第二椅子台３０の位置を定位する。
【００２１】
特に、本実施例に於いて、該第一椅子台２０及び該第二椅子台３０はどちらも移動して位置を調整することが出来るので、実際に実施する場合、該第一椅子台２０及び該第二椅子台３０のうちのどちらかを移動して調整してもよい。
【実施例２】
【００２２】
図５及び図６は、本考案の幅調整可能な椅子構造の第二実施例及びその動作指示図である。本実施例は第一実施例とほぼ同じであるが、異なる点は椅子１ａの第一椅子台２０ａ及び第二椅子台３０ａの定位方式である。本実施例に於いて、該第一椅子台２０ａの第一支持柱２４ａには更に第一レバー２４１ａが枢設され、台座支持台１２ａの第一滑動槽１２１ａには対応して成形された複数の間隔排列した第一ギア孔１２１１ａが成形され、該第一レバー２４１ａは任意の一第一ギア孔１２１１ａ内に挿入し、該第一椅子台２０ａを該台座支持台１２ａ上に定位する。
【００２３】
その他、該第二椅子台３０ａの第二支持柱３４ａもまた第二レバー３４１ａを枢設する。該台座支持台１２ａの第二滑動槽１２２ａは複数の間隔排列した第二ギア孔１２２１ａが成形され、該第二レバー３４１ａは任意の一第二ギア孔１２２１ａ内に挿入し、該第二椅子台３０ａを該台座支持台１２ａ上に定位する。
【００２４】
図６に示すとおり、該第一椅子台２０ａ及び第二椅子台３０ａの間隔を調整したい時には、該第一レバー２４１ａ及び第二レバー３４１ａを回転押圧すると、該第一レバー２４１ａ及び第二レバー３４１ａがそれぞれ該第一ギア孔１２１１ａ及び第二ギア孔１２２１ａ内から外れ、それによって該第一支持柱２４ａ及び第二支持柱３４ａがそれぞれ該第一滑動槽内１２１ａ及び第二滑動槽内１２２ａ内で左右移動する。調整が完了した後、該第一レバー２４１ａ及び第二レバー３４１ａをそれぞれ該第一ギア孔１２１１ａ内及び第二ギア孔１２２１ａ内に挿入する。
【実施例３】
【００２５】
図７は、本考案の幅調整可能な椅子構造の第三実施例である。本実施例は、第一実施例とほぼ同じであるが、異なる点として、椅子１ｂが第一椅子台２０ｂ及び第二椅子台３０ｂの他に、更に中間椅子台４０ｂを含む。該中間椅子台４０ｂは椅子支持桿１０ｂの固定台１１ｂ上に結合し、該第一椅子台２０ｂ及び該第二椅子台３０ｂの間に挟持される。
【実施例４】
【００２６】
図８は、本考案の幅調整可能な椅子構造の第四実施例である。本実施例に於いて、椅子１Ｃは椅子支持桿１０Ｃ、中間椅子台２０Ｃ、第一椅子台３０Ｃ及び第二椅子台４０Ｃを含む。
【００２７】
該椅子支持桿１０Ｃは、固定台１１Ｃ及び該固定台１１Ｃを連接する台座支持台１２Ｃを含む。該中間椅子台２０Ｃは該固定台１１Ｃ上に固定し、該第一椅子台３０Ｃは該中間椅子台２０Ｃに固定し、該台座支持台１２Ｃの一側辺に定位する。該第二椅子台４０Ｃは該第一椅子台３０Ｃに対応して設置し、該第二椅子台４０Ｃは該台座支持台１２Ｃの別の一側辺に定位し，且つ該第一椅子台３０Ｃとの相対距離を調整移動する。
【００２８】
該第一椅子台３０Ｃは、該中間椅子台２０Ｃ底部から伸びて固定し、且つ該第一椅子台３０Ｃは更に第一支持柱３３Ｃ及び第一調整桿３４Ｃを備える。該第一調整桿３４Ｃは該第一支持柱３３Ｃに挿入し、該固定台１１Ｃで固定する。また該第一支持柱３３Ｃは該第一椅子台３０Ｃの底部に固定し、且つ該台座支持台１２Ｃは第一滑動槽１２１Ｃに対応して設置し、該第一支持柱３３Ｃは該第一滑動槽１２１Ｃ内に挿入する。
【００２９】
同様に、該第二椅子台４０Ｃは、該中間椅子台２０Ｃ底部から伸びて固定し、且つ該第二椅子台４０Ｃは更に第二支持柱４３Ｃ及び第二調整桿４４Ｃを備え、該第二調整桿４４Ｃは該第二支持柱４３Ｃに挿入し、該固定台１１Ｃに固定する。また該第二支持柱４３Ｃは該第二椅子台４０Ｃの底部に固定し、且つ該台座支持台１２Ｃは第二滑動槽１２２Ｃに対応して設置し、該第二支持柱４３Ｃは該第二滑動槽１２２Ｃ内に挿入する。その他、該第一椅子台３０Ｃ及び第二椅子台４０Ｃの隙間の調整は第一実施例と同じなのでここでは詳述しない。
【００３０】
以上は本考案の良好な実施例であり、本考案の請求を制限するものではない。他に本考案の精神に基づく同効果の変化はすべて本考案の請求範囲とする。
【符号の説明】
【００３１】
１        椅子
１ａ      椅子
１ｂ      椅子
１Ｃ      椅子
１０        椅子支持桿
１０ｂ      椅子支持桿
１０Ｃ      椅子支持桿
１１        固定台
１１ｂ      固定台
１１Ｃ      固定台
１１０        納置孔
１２        台座支持台
１２ａ      台座支持台
１２Ｃ      台座支持台
１２１        第一滑動槽
１２１ａ      第一滑動槽
１２１Ｃ      第一滑動槽
１２１１ａ      第一ギア孔
１２２        第二滑動槽
１２２ａ      第二滑動槽
１２２Ｃ      第二滑動槽
１２２１ａ      第二ギア孔
２０        第一椅子台
２０ａ      第一椅子台
２０ｂ      第一椅子台
２０Ｃ      中間椅子台
２１        第一台座
２２        第一肘掛け
２４        第一支持柱
２４ａ      第一支持柱
２４０        第一貫通孔
２４１ａ      第一レバー
２５        第一調整桿
２５１        回転ノブ
２６        第一固定部品
３０        第二椅子台
３０ａ      第二椅子台
３０ｂ      第二椅子台
３０Ｃ      第一椅子台
３１        第二台座
３２        第二肘掛け
３３Ｃ      第一支持柱
３４        第二支持柱
３４ａ      第二支持柱
３４Ｃ      第一調整桿
３４０        第二貫通孔
３４１ａ      第二レバー
３５        第二調整桿
３５１        回転ノブ
３６        第二固定部品
４０ｂ      中間椅子台
４０Ｃ      第二椅子台
４３Ｃ      第二支持柱
４４Ｃ      第二調整桿
【図１】
0003173088.tif 000003
【図２】
0003173088.tif 000004
【図３】
0003173088.tif 000005
【図４】
0003173088.tif 000006
【図５】
0003173088.tif 000007
【図６】
0003173088.tif 000008
【図７】
0003173088.tif 000009
【図８】
0003173088.tif 000010
【手続補正書】
【提出日】平成23年11月10日(2011.11.10)
【手続補正１】
【補正対象書類名】実用新案登録請求の範囲
【補正対象項目名】全文
【補正方法】変更
【補正の内容】
【実用新案登録請求の範囲】
【請求項１】
幅調節可能な椅子構造において、
固定台及び該固定台に連接する台座支持台を含む椅子支持桿と、
該台座支持台の滑動槽内に装着される第一椅子台と、
該台座支持台の別の滑動槽内に装着される第二椅子台とからなり、該第二椅子台は前記第一椅子台と相互に並列し、該第一椅子台との相対距離を平行移動して調整することを特徴とする幅調整可能な椅子構造。
【請求項２】
前記第一椅子台は、第一台座及び該第一台座外側から垂直に伸びた第一肘掛けを含むことを特徴とする請求項１記載の幅調整可能な椅子構造。
【請求項３】
前記第一椅子台は、更に第一支持柱を備え、該第一支持柱は該第一台座の底部に固定し、且つ、該台座支持台には長手方向に第一滑動槽が設置され、該第一支持柱は該第一滑動槽内に挿着することを特徴とする請求項２記載の幅調整可能な椅子構造。
【請求項４】
前記第一支持柱は、更に第一レバーを枢設し、該第一滑動槽には複数の間隔排列の第一ギア孔を対応して成形し、該第一レバーは任意の一第一ギア孔内に挿着することを特徴とする請求項３記載の幅調整可能な椅子構造。
【請求項５】
前記第一椅子台は、更に第一調整桿を含み、且つ該第一支持柱は第一貫通孔を穿設し、該第一調整桿は該第一貫通孔に挿着し、該固定台内に固定することを特徴とする請求項３記載の幅調整可能な椅子構造。
【請求項６】
前記第一調整桿の一端は、梅花形回転ノブを備えることを特徴とする請求項５記載の幅調整可能な椅子構造。
【請求項７】
前記第二椅子台は第二台座及び該第二台座外側に垂直に伸びる第二肘掛けを含むことを特徴とする請求項１記載の幅調整可能な椅子構造。
【請求項８】
前記第二椅子台は、更に第二支持柱を備え、該第二支持柱は該第二台座の底部に固定し、且つ、該台座支持台には長手方向に第二滑動槽が設置され、該第二支持柱は該第二滑動槽内に挿着することを特徴とする請求項７記載の幅調整可能な椅子構造。
【請求項９】
前記第二支持柱は、更に第二レバーを枢設し、該第二滑動槽には複数の間隔排列した第二ギア孔を対応成形し、該第二レバーは任意の一第二ギア孔内に挿着することを特徴とする請求項８記載の幅調整可能な椅子構造。
【請求項１０】
前記第二椅子台は、更に第二調整桿を含み、且つ該第二支持柱は第二貫通孔を穿設し、該第二調整桿は該第二貫通孔に挿着し、該固定台内に固定することを特徴とする請求項８記載の幅調整可能な椅子構造。
【請求項１１】
前記第二調整桿の一端は、梅花形回転ノブを備えることを特徴とする請求項１０記載の幅調整可能な椅子構造。
【請求項１２】
前記幅調整可能な椅子構造は、更に中間椅子台を含み、該中間椅子台は該固定台上に結合し、夾設在該第一椅子台及び該第二椅子台の間に挟持して設置することを特徴とする請求項１記載の幅調整可能な椅子構造。
【請求項１３】
幅調整可能な椅子構造において、
固定台及び該固定台に連接する台座支持台を含む椅子支持桿と、
該固定台上に結合する中間椅子台と、
該中間椅子台を挟んで前記台座支持台の一方の滑動槽内に装着される第一椅子台と、
該第一椅子台に対応して設置し、前記中間椅子台を挟んで前記台座支持台の別の滑動槽内に装着される第二椅子台とからなり、且つ該第一椅子台との相対距離を平行移動して調整することを特徴とする幅調整可能な椅子構造。
【請求項１４】
前記第一椅子台は該中間椅子台底部から伸びて固定することを特徴とする請求項１３記載の幅調整可能な椅子構造。
【請求項１５】
前記第一椅子台は、更に第一支持柱及び第一調整桿を備え、該第一調整桿は該第一支持柱に挿着し、該固定台内に固定することを特徴とする請求項１４記載の幅調整可能な椅子構造。
【請求項１６】
前記第一支持柱は、該第一椅子台の底部に固定し、且つ、該台座支持台には長手方向に第一滑動槽が設置され、該第一支持柱は該第一滑動槽内に挿着することを特徴とする請求項１５記載の幅調整可能な椅子構造。
【請求項１７】
前記第二椅子台は、該中間椅子台底部から伸びて固定することを特徴とする請求項１３記載の幅調整可能な椅子構造。
【請求項１８】
前記第二椅子台は、更に第二支持柱及び一第二調整桿を備え、該第二調整桿は該第二支持柱に挿着し、該固定台内に固定することを特徴とする請求項１７記載の幅調整可能な椅子構造。
【請求項１９】
前記第二支持柱は、該第二椅子台の底部に固定し、且つ、該台座支持台には長手方向に第二滑動槽が設置され、該第二支持柱は該第二滑動槽内に挿着することを特徴とする請求項１８記載の幅調整可能な椅子構造。
【手続補正２】
【補正対象書類名】明細書
【補正対象項目名】０００７
【補正方法】変更
【補正の内容】
【０００７】
本考案は、椅子支持桿、第一椅子台及び第二椅子台を含み、椅子支持桿は固定台及び固定台に連接する台座支持台を含む。第一椅子台は台座支持台の滑動槽内に装着され、第二椅子台は台座支持台の別の滑動槽内に装着され、第一椅子台と第二椅子台とは相互に並列し、且つ第二椅子台は第一椅子台との相対距離を平行移動して調整することを最も主要な特徴とする。